(57)【特許請求の範囲】
【請求項１】
水栓本体への湯用および水用の供給管の接続構造であって、前記供給管の接続端部に外周フランジを形成する一方、これらの供給管の流路を弁座流路に連通させる水栓本体側の供給流路には、外周フランジ挿通用の雌ねじ孔を形成し、かつ、前記２つの供給管のそれぞれに套嵌させた筒状の雄ねじ部材を雌ねじ孔に螺着して、これらの雄ねじ部材と外周フランジとの間で弾性パッキンを挟着させるように構成し、かつ、一方の雄ねじ部材を他方の雄ねじ部材より長くしてあることを特徴とする水栓本体への供給管の接続構造。
【発明の詳細な説明】
【０００１】
【発明の属する技術分野】
本発明は、湯水混合水栓の水栓本体に対する供給管の接続構造に関するものである。
【０００２】
【従来の技術】
例えば、湯水混合水栓に接続される給水用および給湯用の供給管を水栓本体に接続するのに従来は、図５に示すように、給水用および給湯用の供給管５１，５１を例えば銅製にする一方、この供給管５１，５１の流路を弁座流路に連通させる水栓本体５２側の供給流路５３，５３には、供給管５１，５１の差し込み孔５４，５４を形成して、この孔５４，５４に差し込んだ供給管５１，５１を水栓本体５２に所謂銀ロウ付けしている。
【０００３】
【発明が解決しようとする課題】
ところが、上記の接続手段では、銀ロウ付けに用いる銀のコストが高い上に、水栓本体５２にメッキを施した状態では銀ロウ付けが不能になることから、供給管５１，５１の接続手順に工程的な制約を受けることになり、更には、銀ロウ付けに際して水栓本体５２が高温になることで、水栓本体５２の水栓取付足５５に対する雌ねじ部５６が熱歪みを起こす問題があった。
更に、銀ロウ付けは曲げのショックに弱いことから、これを補強する上で、水栓取付足５５の下部側に管受け部材５７を設ける必要もあった。
【０００４】
上記の問題点を解決するために、本発明は、水栓本体に対する供給管の接続を機械的に実現させて、上記の不都合を一挙に解消できるに至った供給管の接続構造を提供することを目的としている。
【０００５】
【課題を解決するための手段】
即ち、本発明による水栓本体への湯用および水用の供給管の接続構造は、供給管の接続端部に外周フランジを形成する一方、これらの供給管の流路を弁座流路に連通させる水栓本体側の供給流路には、外周フランジ挿通用の雌ねじ孔を形成し、かつ、前記２つの供給管のそれぞれに套嵌させた筒状の雄ねじ部材を雌ねじ孔に螺着して、これらの雄ねじ部材と外周フランジとの間で弾性パッキンを挟着させるように構成し、かつ、一方の雄ねじ部材を他方の雄ねじ部材より長くしてある点に特徴がある。
【０００６】
上記の構成によれば、弾性パッキンを保持させた供給管を、それの接続端部の外周フランジを水栓本体の雌ねじ孔に挿通させ、かつ、これらの供給管に套嵌させた雄ねじ部材を雌ねじ孔に螺着させることで、供給管を機械的に水栓本体に接続することができる。
【０００７】
これらの供給管の接続に際して、弾性パッキンを雌ねじ孔に嵌め込んでから、この雌ねじ孔に供給管を挿通させ、かつ、雄ねじ部材を雌ねじ孔に螺着させる接続形態をとってもよいのであるが、かゝる接続の形態では、外周フランジの周縁部が雌ねじ孔の途中に引っ掛かってしまった場合、弾性パッキンを所定通りに挟着できなくなって、シール不能の事態が発生する虞れがある。
【０００８】
この点にあって本発明では、弾性パッキンを外周フランジと雄ねじ部材とで挟着させるようにしているので、万が一、外周フランジの周縁部が雌ねじ孔の途中に引っ掛かってしまった場合でも、弾性パッキンを強固に挟着して、この弾性パッキンを雌ねじ孔の内周面に確実に密着させることができるもので、シール不能の事態が確実に防止されることから、高いシール効果が得られる。
【０００９】
【実施例】
以下に本発明の実施例を図面に基づいて説明する。図１はシャワー栓１を接続した湯水混合水栓２を示し、図２は要部を破断した湯水混合水栓２を示している。
これらの図において、図中の３は湯水の混合室Ａを形成する水栓本体で、例えば洗面ボールの周部面板４に開設の貫通孔５に止着される水栓取付足６と、湯水混合用の弁ユニット７を内蔵する水栓胴体８とから成る。
【００１０】
湯水混合用の弁ユニット７は、図３に示すように、湯および水の導入孔ａ，ａと混合湯水の導出孔ｂとが形成されたロアーディスク９と、上記の孔ａ，ａ，ｂに嵌入される筒状パッキン１０ａ，１０ａ、１０ｂと、弁座流路ｃ，ｃと湯水導出流路ｄとが形成された固定弁座１１と、回転ならびに摺動自在な可動弁体（長孔ｅが形成された可動ディスク１２とサポート部材１３とから成る。）１４と、ディスクガイド１５とを、その順に筒状のユニットケース１６に内蔵して成り、前記ディスクガイド１５に枢着されたレバー１７の上端には、湯水調整用のレバーハンドル（図１を参照）１８が連結され、かつ、前記ユニットケース１６の上方肩部には、水栓胴体８の切欠き８ａに係合される位置合わせ用の突片１６ａが設けられている。
【００１１】
水栓胴体８は、図４と共に図１，２を参照して明らかなように、銅や真鍮などの金属パイプ材を加工成形したものであって、金属パイプ材の上部側を絞り込んで、その内面に、弁ユニット固定用の雄ねじリング（図３を参照）１９を螺着するための雌ねじ部ｆを形成すると共に、下部側については、その内面に、水栓取付足６を螺着するための雌ねじ部ｈを形成し、更に、側面部に混合湯水の吐出口部２０を膨出させて、その外面に雄ねじ部ｉを形成して成り、シャワー栓１が接続されたホース２１は、ナット２２によって吐出口部２０に螺着される。
【００１２】
一方、水栓取付足６は、例えば銅や真鍮などの鋳造製であって、水栓胴体８の雌ねじ部ｈに螺着される雄ねじ部ｊと、Ｏリング２３を嵌合保持させる環状溝ｍと、周部面板４に開設の貫通孔５に挿通されて雌ねじ部材２４により固定される雄ねじ部ｎと、湯用および水用の供給管２５，２５を弁ユニット７の弁座流路ｃ，ｃに連通させる２本の供給流路２６，２６とを、切削加工して成るもので、供給流路２６，２６の上部側には、湯水混合室Ａから供給管２５，２５への湯水の逆流を防止する逆止弁２７と、湯水連通用アタッチメント２８の脚部とを、その順に弁ユニット９側から嵌め込むための収容部２６ａを形成し、供給流路２６，２６の下部側には、供給管接続用の雌ねじ孔２６ｂを形成している。
【００１３】
上記の構成によれば、供給管２５，２５からの湯および水が、水栓取付足６の供給流路２６，２６と、アタッチメント２８，２８の湯および水導入孔ｒ，ｒと、筒状パッキン１０ａ，１０ａと、弁座流路ｃ，ｃとを通して、可動ディスク１２の長孔ｅ内で混合され、その混合湯水が、固定弁座１１の湯水導出流路ｄと、筒状パッキン１０ｂと、アタッチメント２８，２８間に形成された湯水導出孔ｔとを通して、ユニットケース１６まわりの湯水混合室Ａに導出され、かつ、この混合湯水が、水栓本体３の吐出口部２０に接続されたホース２１を介してシャワー栓１から導出される。
【００１４】
湯水混合比の調整は、レバーハンドル１８による可動弁体１４の回転操作によって、可動ディスク１２の長孔ｅに連通させる弁座流路ｃ，ｃの開度比を調整することで行われ、閉栓を含む混合湯水の流量調整は、レバーハンドル１８による可動弁体１４の摺動操作によって、長孔ｅに連通させる弁座流路ｃ，ｃの開度を調整することで行われる。
【００１５】
上記の水栓本体３に対する湯用および水用供給管２５，２５の接続構造は、次の通りである。即ち、供給管２５，２５を例えば銅パイプ製にして、これの接続端部に外周フランジ２９を形成する一方、水栓取付足６の供給流路２６，２６の下部側に形成した雌ねじ孔２６ｂ，２６ｂを、この外周フランジ２９を下方から挿通させ得る大きさとし、かつ、供給管２５，２５のそれぞれに、外面形状を六角形などの異径にした筒状の雄ねじ部材３０と、Ｏリング状の弾性パッキン３１とを套嵌させて、これらの雄ねじ部材３０を水栓取付足６の雌ねじ孔２６ｂに螺着させるようにしている。
【００１６】
かゝる構成によれば、外周フランジ２９と雄ねじ部材３０との間に弾性パッキン３１を保持させて、これらの供給管２５，２５を、それの外周フランジ２９を水栓取付足６の雌ねじ孔２６ｂに挿通させ、かつ、弾性パッキン３１を雌ねじ孔２６ｂ内に押し込むように、この雌ねじ孔２６ｂに雄ねじ部材３０を螺着させることで、湯用および水用の供給管２５，２５を機械的に水栓本体３の水栓取付足６に接続することができる。
【００１７】
このように機械的な接続形態をとったことで、水栓本体３に対する供給管２５，２５の接続が、従来の銀ロウ付けに比較してコスト的に安価に達成されるようになり、しかも、メッキを施した水栓本体３に供給管２５，２５を接続できることから、水栓本体３に対する供給管２５，２５の接続手順に工程的な制約を受けることがない。
【００１８】
また、常温下での接続形態故に熱歪みの問題が解消される上に、供給管２５，２５が筒状の雄ねじ部材３０によって保持される構成になることから、従来必要とした管補強用の管受け部材も不要となる。
【００１９】
更に、弾性パッキン３１を外周フランジ２９と雄ねじ部材３０とで挟着させるようにしているので、万が一、外周フランジ２９の周縁部が雌ねじ孔２６ｂの途中に引っ掛かってしまった場合でも、弾性パッキン３１を強固に挟着して、この弾性パッキン３１を雌ねじ孔２６ｂの内周面に確実に密着させることができることから、シール不能の事態が確実に防止されて高いシール効果が得られる。
【００２０】
上記の実施例では、一方の雄ねじ部材３０を長くしているが、これは接続作業の能率アップを図るためである。
即ち、雄ねじ部材３０の長さを等しくしていると、先に締め付ける雄ねじ部材３０については問題はないが、供給管２５，２５の軸間寸法を大きくとることができないことから、後から付ける雄ねじ部材３０については、スパナなどによる雄ねじ部材３０の回転操作角を大きくとることができなくなって、これらの雄ねじ部材３０の締め付け作業がやゝ困難となる。
【００２１】
この点にあって、一方の雄ねじ部材３０を長くしておけば、その長い雄ねじ部材３０を後締めすることで、これを先に締め付ける雄ねじ部材３０と同様に締め付け作業を楽に行えるのである。
【００２２】
【００２３】
【発明の効果】
本発明は、以上説明したような形態で実施され、従来の銀ロウ付けに代えて、供給管を機械的に水栓本体に接続させる形態をとったことで、供給管の接続がコスト的に安価に達成される上に、メッキを施した水栓本体を対象にした場合であっても、この水栓本体に対する供給管の接続手順に工程的な制約を受けることがなくなり、加えて、熱歪みの問題が解消されると共に、管補強用の管受け部材も設ける必要がなくなり、更には、弾性パッキンを外周フランジと雄ねじ部材との間で強固に挟着して、この弾性パッキンを雌ねじ孔の内周面に確実に密着させるようにしたことで、高いシール効果が得られるようになったのである。
【図面の簡単な説明】
【図１】  シャワー栓を接続した湯水混合水栓の縦断側面図である。
【図２】  要部を破断した湯水混合水栓の正面図である。
【図３】  弁ユニットの分解斜視図である。
【図４】  水栓胴体と水栓取付足ならびに供給管の接続構造を示す分解断面図である。
【図５】  従来例の一部を破断した湯水混合水栓の正面図である。
【符号の説明】
３…水栓本体、２５…供給管、２６…供給流路、２６ｂ…雌ねじ孔、２９…外周フランジ、３０…雄ねじ部材、３１…弾性パッキン。
【図１】
0003640735.tif 000002
【図２】
0003640735.tif 000003
【図３】
0003640735.tif 000004
【図４】
0003640735.tif 000005
【図５】
0003640735.tif 000006